(57)【特許請求の範囲】
【請求項１】
基礎として用いる構造物である基礎構造物に据え付けられ構造物を支持する構造物支持構造であって、
基礎構造物の上面に設けられるアンカー面である基礎アンカー面と、
構造物の下面に設けられるアンカー面である構造物アンカー面と、
上下方向に貫通する複数の貫通孔を設けられる上下一対のフランジプレートである上部フランジプレート及び下部フランジプレートと上下一対の前記フランジプレートに挟まれる積層ゴム体とを有する積層ゴム支承と、
複数の前記貫通孔を各々に貫通できる複数のボルトと、
複数の前記ボルトのうち少なくとも１つのボルトである特定ボルトが上下方向に貫通できる貫通孔である特定貫通孔を設けられ前記特定貫通孔の中心軸に平行な軸心をもち前記特定貫通孔の外周より大きな外形と該軸心に直交し互いに平行な一対の面である上面と下面とで形成される柱状部材と、
前記特定ボルトが貫通できる貫通孔を設けられる板状の板状部材と、
を備え、
上下一対の前記フランジプレートのうちの一方のフランジプレートである特定フランジプレートに設けられる複数の前記貫通孔のうち少なくとも１つの前記貫通孔は前記柱状部材が上下方向に貫通できる貫通孔である特定大径貫通孔であり、
前記板状部材が前記特定大径貫通孔の外周形状より大きな輪郭をもち、
前記下部フランジプレートが前記基礎アンカー面に対面する様に基礎構造物に取り付けられ、
前記上部フランジプレートが前記構造物アンカー面に対面する様に構造物に取り付けられ、  
前記柱状部材が前記特定大径貫通孔に挿入され、
前記特定ボルトが前記特定大径貫通孔に挿入される前記柱状部材に設けられる前記特定貫通孔を貫通し前記特定フランジプレートを取り付ける基礎構造物または構造物のうちの一方である取付対象物に固定され、
基礎構造物と構造物とを前記取付対象物が下になるように見たときに前記柱状部材が上面を前記板状部材の下面に当接させ下面を前記取付対象物の前記アンカー面に当接させ且つ側面を前記特定大径貫通孔の壁面に空隙を空けて対面させ、
前記柱状部材の高さ寸法が前記特定フランジプレートの厚み寸法より大きい、
ことを特徴とする構造物支持構造。
【請求項２】
基礎として用いる構造物である基礎構造物に据え付けられ構造物を支持する構造物支持構造であって、
基礎構造物の上面に設けられるアンカー面である基礎アンカー面と、
構造物の下面に設けられるアンカー面である構造物アンカー面と、
上下方向に貫通する複数の貫通孔を設けられる上下一対のフランジプレートである上部フランジプレート及び下部フランジプレートと上下一対の前記フランジプレートに挟まれる積層ゴム体とを有する積層ゴム支承と、
複数の前記貫通孔を各々に貫通できる複数のボルトと、
複数の前記ボルトのうち少なくとも１つのボルトである特定ボルトが上下方向に貫通できる貫通孔である特定貫通孔を設けられ前記特定貫通孔の中心軸に平行な軸心をもち前記特定貫通孔の外周より大きな外形と該軸心に直交し互いに平行な一対の面である上面と下面とで形成される柱状部材と、
を備え、
上下一対の前記フランジプレートのうちの一方のフランジプレートである特定フランジプレートに設けられる複数の前記貫通孔のうち少なくとも１つの前記貫通孔は前記柱状部材が上下方向に貫通できる貫通孔である特定大径貫通孔であり、
前記下部フランジプレートが前記基礎アンカー面に対面する様に基礎構造物に取り付けられ、
前記上部フランジプレートが前記構造物アンカー面に対面する様に構造物に取り付けられ、  
前記柱状部材が前記特定大径貫通孔に挿入され、
前記特定ボルトが前記特定大径貫通孔に挿入される前記柱状部材に設けられる前記特定貫通孔を貫通し前記特定フランジプレートを取り付ける基礎構造物または構造物のうちの一方である取付対象物に固定され、
前記柱状部材が前記特定大径貫通孔にしまり嵌めに挿入され、
前記柱状部材の高さ寸法が前記特定フランジプレートの厚み寸法より大きく、
基礎構造物と構造物とを前記取付対象物が下になるように見たときに前記特定ボルトのボルト頭の下面と前記柱状部材の上面との間に所定の隙間が設けられ且つ前記特定ボルトと前記柱状部材の前記特定貫通孔との間に空隙がある、
ことを特徴とする構造物支持構造。
【請求項３】
基礎として用いる構造物である基礎構造物に据え付けられ構造物を支持する構造物支持構造であって、
基礎構造物の上面に設けられるアンカー面である基礎アンカー面と、
構造物の下面に設けられるアンカー面である構造物アンカー面と、
上下方向に貫通する複数の貫通孔を設けられる上下一対のフランジプレートである上部フランジプレート及び下部フランジプレートと上下一対の前記フランジプレートに挟まれる積層ゴム体とを有する積層ゴム支承と、
複数の前記貫通孔を各々に貫通できる複数のボルトと、
複数の前記ボルトのうち少なくとも１つのボルトである特定ボルトが上下方向に貫通できる貫通孔である特定貫通孔を設けられ前記特定貫通孔の中心軸に平行な軸心をもち前記特定貫通孔の外周より大きな外形と該軸心に直交し互いに平行な一対の面である上面と下面とで形成される柱状部材と、
を備え、
上下一対の前記フランジプレートのうちの一方のフランジプレートである特定フランジプレートに設けられる複数の前記貫通孔のうち少なくとも１つの前記貫通孔は前記柱状部材が上下方向に貫通できる貫通孔である特定大径貫通孔であり、
前記下部フランジプレートが前記基礎アンカー面に対面する様に基礎構造物に取り付けられ、
前記上部フランジプレートが前記構造物アンカー面に対面する様に構造物に取り付けられ、  
前記柱状部材が前記特定大径貫通孔に挿入され、
前記特定ボルトが前記特定大径貫通孔に挿入される前記柱状部材に設けられる前記特定貫通孔を貫通し前記特定フランジプレートを取り付ける基礎構造物または構造物のうちの一方である取付対象物に固定され、
前記柱状部材が前記特定大径貫通孔にしまり嵌めに挿入され、
基礎構造物と構造物とを前記取付対象物が下になるように見たときに前記特定ボルトのボルト頭の下面と前記柱状部材の上面との間に所定の隙間を設けられ且つ前記特定ボルトと前記柱状部材の前記特定貫通孔との間に空隙がある、
ことを特徴とする構造物支持構造。
【発明の詳細な説明】
【技術分野】
【０００１】
本発明は、構造物支持構造に係る。特に、積層ゴム支承を用いた構造物支持構造に関する。
【背景技術】
【０００２】
建築構造物における免震構造や土木構造物における免震構造及び水平分散構造に積層ゴム体が用いられる。
積層ゴム体は、圧縮方向に大きな耐力を有し、上部構造物の荷重を支持できる。
一方、積層ゴム体は、引張方向の耐力は、圧縮方向の耐力より小さい。
上部構造物の高さが増すにつれ、積層ゴム体に作用する引張方向の力が大きくなる傾向がある。
【０００３】
積層ゴム体に作用する引張方向の力を緩和する手段として、積層ゴム支承のフランジプレートを弾性座金を挟んでボルトで結合することが提案されている。
この様にすると、積層ゴム支承に引張方向の力が作用したときに、弾性座金を圧縮し、積層ゴム体に作用する引張力を緩和する。
【０００４】
ところで、フランジプレートを固定するボルトには、引張力とともに大きな剪断力が作用するという不具合があった。さらに、引張方向の力によってフランジプレートがアンカープレートから浮くと、大きな曲げ力がボルトに作用するという不具合があった。そのために、ボルト径を大きくする必要があり、不経済であった。
【先行技術文献】
【特許文献】
【０００５】
【特許文献１】特開２０１０−２６５９７６号
【特許文献２】特開２０１１−１８４９３６号
【特許文献３】特開平１１−１５３１９１号
【特許文献４】特許第４３３０１７１号
【発明の開示】
【発明が解決しようとする課題】
【０００６】
本発明は以上に述べた不具合に鑑み案出されたもので、簡易な構造で所望の機能を発揮する構造物支持構造を提供しようとする。
【課題を解決するための手段】
【０００７】
上記目的を達成するため、本発明に係る基礎として用いる構造物である基礎構造物に据え付けられ構造物を支持する構造物支持構造を、基礎構造物の上面に設けられるアンカー面である基礎アンカー面と、構造物の下面に設けられるアンカー面である構造物アンカー面と、上下方向に貫通する複数の貫通孔を設けられる上下一対のフランジプレートである上部フランジプレート及び下部フランジプレートと上下一対の前記フランジプレートに挟まれる積層ゴム体とを有する積層ゴム支承と、複数の前記貫通孔を各々に貫通できる複数のボルトと、複数の前記ボルトのうち少なくとも１つのボルトである特定ボルトが上下方向に貫通できる貫通孔である特定貫通孔を設けられ前記特定貫通孔の中心軸に平行な軸心をもち前記特定貫通孔の外周より大きな外形と該軸心に直交し互いに平行な一対の面である上面と下面とで形成される柱状部材と、を備え、上下一対のフランジプレートのうちの一方のフランジプレートである特定フランジプレートに設けられる複数の前記貫通孔のうち少なくとも１つの前記貫通孔は前記柱状部材が上下方向に貫通できる貫通孔である特定大径貫通孔であり、前記下部フランジプレートが前記基礎アンカー面に対面する様に基礎構造物に取り付けられ、前記上部フランジプレートが前記構造物アンカー面に対面する様に構造物に取り付けられ、  前記柱状部材が前記特定大径貫通孔に挿入され、前記特定ボルトが前記特定大径貫通孔に挿入される前記柱状部材に設けられる前記特定貫通孔を貫通し前記特定フランジプレートを取り付ける基礎構造物または構造物のうちの一方である取付対象物に固定される、ものとした。
【０００８】
上記本発明の構成において、基礎アンカー面は、基礎構造物の上面に設けられるアンカー面である。構造物アンカー面は、構造物の下面に設けられるアンカー面である。積層ゴム支承は、上下方向に貫通する複数の貫通孔を設けられる上下一対のフランジプレートである上部フランジプレート及び下部フランジプレートと上下一対の前記フランジプレートに挟まれる積層ゴム体とを有する。複数のボルトは、複数の前記貫通孔を各々に貫通できる。柱状部材は、複数の前記ボルトのうち少なくとも１つのボルトである特定ボルトが上下方向に貫通できる貫通孔である特定貫通孔を設けられ前記特定貫通孔の中心軸に平行な軸心をもち前記特定貫通孔の外周より大きな外形と該軸心に直交し互いに平行な一対の面である上面と下面とで形成される。特定大径貫通孔は、上下一対の前記フランジプレートのうちの一方のフランジプレートである特定フランジプレートに設けられる複数の前記貫通孔のうち少なくとも１つの前記貫通孔であり、前記柱状部材が上下方向に貫通できる貫通孔である。前記下部フランジプレートが前記基礎アンカー面に対面する様に基礎構造物に取り付けられる。前記上部フランジプレートが前記構造物アンカー面に対面する様に構造物に取り付けられる。前記柱状部材が前記特定大径貫通孔に挿入される。前記特定ボルトが前記特定大径貫通孔に挿入される前記柱状部材に設けられる前記特定貫通孔を貫通し前記特定フランジプレートを取り付ける基礎構造物または構造物のうちの一方である取付対象物に固定される。
その結果、前記フランジプレートに作用する水平方向の力を前記特定ボルトと前記柱状部材とを介して基礎構造物または構造物が支持し、前記フランジプレートに引き抜き力が作用すると前記特定ボルトと前記柱状部材との間、または前記柱状部材と前記フランジプレートとの間で相対移動が発生し、前記引き抜き力が大きくなるのを抑制できる。
【０００９】
以下に、本発明の実施形態に係る構造物支持構造を説明する。本発明は、以下に記載した実施形態のいずれか、またはそれらの中の二つ以上が組み合わされた態様を含む。
【００１０】
また、本発明の実施形態に係る構造物支持構造は、前記柱状部材の高さ寸法が前記特定フランジプレートの厚み寸法より大きい。
上記本発明に係る実施形態の構成により、前記柱状部材の高さ寸法が前記特定フランジプレートの厚み寸法より大きい。
その結果、前記柱状部材と前記フランジプレートとの間で相対移動が発生したときに、前記柱状部材と前記特定大径貫通孔との当たり面の減少を抑制できる。
【００１１】
また、本発明の実施形態に係る構造物支持構造は、前記特定ボルトが貫通できる貫通孔を設けられ前記特定大径貫通孔の外周形状より大きな輪郭をもつ板状の板状部材と、を備え、前記板状部材が前記柱状部材の一対の面のうち前記取付対象物に対向しない面に位置し、前記特定ボルトが前記板状部材に設けられる貫通孔と前記柱状部材に設けられる前記特定貫通孔とを貫通し前記取付対象物に固定される。
上記本発明に係る実施形態の構成により、板状の板状部材は、前記特定ボルトが貫通できる貫通孔を設けられ前記特定大径貫通孔の外周形状より大きな輪郭をもつ。前記板状部材が前記柱状部材の一対の面のうち前記取付対象物に対向しない面に位置する。前記特定ボルトが前記板状部材に設けられる貫通孔と前記柱状部材に設けられる前記特定貫通孔とを貫通し前記取付対象物に固定される。
その結果、前記柱状部材と前記フランジプレートとの間で相対移動が発生したときに、前記板状部材により相対滑りの距離を制限できる。
【００１２】
また、本発明の実施形態に係る構造物支持構造は、弾性素材でできる部材である弾性部材と、を備え、前記弾性部材が前記板状部材と前記フランジプレートとの間に挟まれる。
上記本発明に係る実施形態の構成により、弾性部材は、弾性素材でできる部材である。
前記弾性部材が前記板状部材と前記フランジプレートとの間に挟まれる、
その結果、前記板状部材と前記フランジプレートとの間に前記弾性部材が挟まれる様にしたので、前記ボルトと前記フランジプレートとの間で相対移動が発生したときに、相対滑りの距離を調整できる。
【００１３】
また、本発明の実施形態に係る構造物支持構造は、前記特定フランジプレートに設けられる前記特定大径貫通孔の内壁の表面の硬度が前記特定フランジプレートの母材の硬度より高い。
上記本発明に係る実施形態の構成により、前記特定フランジプレートに設けられる前記特定大径貫通孔の内壁の表面の硬度が前記特定フランジプレートの母材の硬度より高い。
その結果、前記柱状部材と前記特定フランジプレートとの間に相対移動が発生したときに、前記柱状部材と前記特定大径貫通孔との当たり面のかじりを抑制できる。
【００１４】
また、本発明の実施形態に係る構造物支持構造は、前記柱状部材に設けられる前記特定貫通孔の少なくとも内壁の表面の硬度が前記特定ボルトの外周の表面の硬度より高い。
上記本発明に係る実施形態の構成により、前記柱状部材に設けられる前記特定貫通孔の少なくとも内壁の表面の硬度が前記特定ボルトの外周の表面の硬度より高い。
その結果、前記特定ボルトと前記柱状部材との間に相対移動が発生したときに、前記特定ボルトと前記特定貫通孔との当たり面のかじりを抑制できる。
【００１５】
また、本発明の実施形態に係る構造物支持構造は、前記柱状部材の少なくとも外周の表面の硬度が前記特定フランジプレートの母材の硬度より高い、
上記本発明に係る実施形態の構成により、前記柱状部材の少なくとも外周の表面の硬度が前記特定フランジプレートの母材の硬度より高い。
その結果、前記柱状部材と前記特定フランジプレートとの間に相対移動が発生したときに、前記柱状部材と前記特定フランジプレートとの当たり面のかじりを抑制できる。
【００１６】
また、本発明の実施形態に係る構造物支持構造は、前記柱状部材の少なくとも外周の表面の硬度が前記特定ボルトの外周の表面の硬度より高い、
上記本発明に係る実施形態の構成により、前記柱状部材の少なくとも外周の表面の硬度が前記特定ボルトの外周の表面の硬度より高い。
その結果、前記ボルトと前記特定フランジプレートとの間に相対移動が発生したときに、ボルトと柱状部材、前記柱状部材と前記特定フランジプレートとの当たり面のかじりを抑制できる。
【００１７】
また、本発明の実施形態に係る構造物支持構造は、前記柱状部材が全体に一様な硬度を有し、前記柱状部材の硬度が前記特定ボルトの外周の表面の硬度より高い。
上記本発明に係る実施形態の構成により、前記柱状部材が全体に一様な硬度を有する。前記柱状部材の硬度が前記特定ボルトの外周の表面の硬度より高い。
その結果、前記特定ボルトと前記柱状部材との間に相対移動が発生したときに、前記特定ボルトと前記特定貫通孔との当たり面のかじりを抑制できる。
【００１８】
また、本発明の実施形態に係る構造物支持構造は、前記柱状部材が全体に一様な硬度を有し、前記柱状部材の硬度が前記特定フランジプレートの母材の硬度より高い。
上記本発明に係る実施形態の構成により、前記柱状部材が全体に一様な硬度を有する。
前記柱状部材の硬度が前記特定フランジプレートの母材の硬度より高い、
その結果、前記特定ボルトと前記特定フランジプレートとの間に相対移動が発生したときに、前記柱状部材と前記特定大径貫通孔との当たり面のかじりを抑制できる。
【００１９】
また、本発明の実施形態に係る構造物支持構造は、前記柱状部材が前記特定大径貫通孔にしまり嵌めまたは中間嵌めの状態で挿入される。
上記本発明に係る実施形態の構成により、前記柱状部材が前記特定大径貫通孔にしまり嵌めまたは中間嵌めの状態で挿入される。
その結果、前記ボルトと前記特定フランジプレートとの間で相対滑りが発生したときに、前記特定ボルトと前記特定貫通孔との間で相対滑りが発生する。
【００２０】
上記目的を達成するため、本発明に係る基礎として用いる構造物である基礎構造物に据え付けられ構造物を支持する構造物支持構造を、基礎構造物の上面に設けられるアンカー面である基礎アンカー面と、構造物の下面に設けられるアンカー面である構造物アンカー面と、上下方向に貫通する複数の貫通孔を設けられる上下一対のフランジプレートである上部フランジプレートと下部フランジプレートと上下一対の前記フランジプレートに挟まれる積層ゴム体とを有する積層ゴム支承と、複数の前記貫通孔を各々に貫通できる複数のボルトと、を備え、複数の前記ボルトのうち少なくとも１つのボルトが特定ボルトであり、上下一対の前記フランジプレートのうちの一方のフランジプレートである特定フランジプレートに設けられる複数の前記貫通孔のうち少なくとも１つの前記貫通孔は前記特定ボルトが上下方向に貫通できる貫通孔である特定大径貫通孔であり、前記下部フランジプレートが前記基礎アンカー面に対面する様に基礎構造物に取り付けられ、前記上部フランジプレートが前記構造物アンカー面に対面する様に構造物に取り付けられ、  前記特定ボルトが前記特定大径貫通孔を貫通し前記特定フランジプレートを取り付ける基礎構造物または構造物のうちの一方である取付対象物に固定され、前記特定フランジプレートに設けられる前記特定大径貫通孔の内壁の表面の硬度が前記特定フランジプレートの母材の硬度より高い、ものとした。
【００２１】
上記本発明の構成において、基礎アンカー面は、基礎構造物の上面に設けられるアンカー面である。構造物アンカー面は、構造物の下面に設けられるアンカー面である。積層ゴム支承は、上下方向に貫通する複数の貫通孔を設けられる上下一対のフランジプレートである上部フランジプレートと下部フランジプレートと上下一対の前記フランジプレートに挟まれる積層ゴム体とを有する。複数のボルトは、複数の前記貫通孔を各々に貫通できる。特定ボルトは、複数の前記ボルトのうち少なくとも１つのボルトである。特定大径貫通孔は、上下一対のフランジプレートのうちの一方のフランジプレートである特定フランジプレートに設けられる複数の前記貫通孔のうち少なくとも１つの前記貫通孔であり、前記特定ボルトが上下方向に貫通できる貫通孔である。前記下部フランジプレートが前記基礎アンカー面に対面する様に基礎構造物に取り付けられる。前記上部フランジプレートが前記構造物アンカー面に対面する様に構造物に取り付けられる。前記特定ボルトが前記特定大径貫通孔を貫通し前記特定フランジプレートを取り付ける基礎構造物または構造物のうちの一方である取付対象物に固定される。前記特定フランジプレートに設けられる前記特定大径貫通孔の内壁の表面の硬度が前記特定フランジプレートの母材の硬度より高い。
その結果、前記フランジプレートに作用する水平方向の力を前記特定ボルトを介して基礎構造物または構造物が支持し、前記フランジプレートに引き抜き力が作用すると前記特定ボルトと前記フランジプレートとの間で相対移動が発生し、前記引き抜き力が大きくなるのを抑制する際に、前記特定ボルトと前記特定大径貫通孔との当たり面のかじりを抑制できる。
【００２２】
上記目的を達成するため、本発明に係る基礎として用いる構造物である基礎構造物に据え付けられ構造物を支持する構造物支持構造を、基礎構造物の上面に設けられるアンカー面である基礎アンカー面と、構造物の下面に設けられるアンカー面である構造物アンカー面と、上下方向に貫通する複数の貫通孔を設けられる上下一対のフランジプレートである上部フランジプレートと下部フランジプレートと上下一対の前記フランジプレートに挟まれる積層ゴム体とを有する積層ゴム支承と、複数の前記貫通孔を各々に貫通できる複数のボルトと、を備え、複数の前記ボルトのうち少なくとも１つのボルトが特定ボルトであり、上下一対の前記フランジプレートのうちの一方のフランジプレートである特定フランジプレートに設けられる複数の前記貫通孔のうち少なくとも１つの前記貫通孔は前記特定ボルトが上下方向に貫通できる貫通孔である特定大径貫通孔であり、前記下部フランジプレートが前記基礎アンカー面に対面する様に基礎構造物に取り付けられ、前記上部フランジプレートが前記構造物アンカー面に対面する様に構造物に取り付けられ、  前記特定ボルトが前記特定大径貫通孔を貫通し前記特定フランジプレートを取り付ける基礎構造物または構造物のうちの一方である取付対象物に固定され、前記特定フランジプレートに設けられる前記特定大径貫通孔の内壁の表面の硬度が前記特定ボルトの外周の表面の硬度より高い、ものとした。
【００２３】
上記本発明の構成において、基礎アンカー面は、基礎構造物の上面に設けられるアンカー面である。構造物アンカー面は、構造物の下面に設けられるアンカー面である。積層ゴム支承は、上下方向に貫通する複数の貫通孔を設けられる上下一対のフランジプレートである上部フランジプレートと下部フランジプレートと上下一対の前記フランジプレートに挟まれる積層ゴム体とを有する。複数のボルトは、複数の前記貫通孔を各々に貫通できる。特定ボルトは、複数の前記ボルトのうち少なくとも１つのボルトである。特定大径貫通孔は、上下一対の前記フランジプレートのうちの一方のフランジプレートである特定フランジプレートに設けられる複数の前記貫通孔のうち少なくとも１つの前記貫通孔であり、前記特定ボルトが上下方向に貫通できる貫通孔である。前記下部フランジプレートが前記基礎アンカー面に対面する様に基礎構造物に取り付けられる。前記上部フランジプレートが前記構造物アンカー面に対面する様に構造物に取り付けられる。前記特定ボルトが前記特定大径貫通孔を貫通し前記特定フランジプレートを取り付ける基礎構造物または構造物のうちの一方である取付対象物に固定される。前記特定フランジプレートに設けられる前記特定大径貫通孔の内壁の表面の硬度が前記特定ボルトの外周の表面の硬度より高い。
その結果、前記フランジプレートに作用する水平方向の力を前記特定ボルトを介して基礎構造物または構造物が支持し、前記フランジプレートに引き抜き力が作用すると前記特定ボルトと前記フランジプレートとの間で相対移動が発生し、前記引き抜き力が大きくなるのを抑制する際に、前記特定ボルトと前記特定大径貫通孔との当たり面のかじりを抑制できる。
【発明の効果】
【００２４】
以上説明したように、本発明に係る構造物支持構造は、その構成により、以下の効果を有する。
前記基礎アンカー面と前記構造物アンカー面との間にボルトで取り付けされる積層ゴム体の一方の前記フランジプレートにおいて、複数の前記貫通孔のうち少なくとも１つの前記特定大径貫通孔に前記柱状部材を挿入し、特定ボルトが前記柱状部材に設けられる前記特定貫通孔を貫通し前記取付対象物に固定する様にしたので、前記フランジプレートに作用する水平方向の力を前記特定ボルトと前記柱状部材とを介して基礎構造物または構造物が支持し、前記フランジプレートに引き抜き力が作用すると前記特定ボルトと前記柱状部材との間、または前記柱状部材と前記フランジプレートとの間で相対移動が発生し、前記引き抜き力が大きくなるのを抑制できる。
また、前記柱状部材の高さ寸法が前記特定フランジプレートの厚み寸法より大きい様にしたので、前記柱状部材と前記フランジプレートとの間で相対移動が発生したときに、前記柱状部材と前記特定大径貫通孔との当たり面の減少を抑制できる。
また、前記板状部材を前記柱状部材に重ね、前記特定ボルトが前記板状部材に設けられた貫通孔と前記柱状部材に設けられた前記特定貫通孔とを貫通し前記取付対象物に固定する様にしたので、前記柱状部材と前記フランジプレートとの間で相対移動が発生したときに、前記板状部材により相対滑りの距離を制限できる。
また、前記板状部材と前記フランジプレートとの間に前記弾性部材が挟まれる様にしたので、前記ボルトと前記フランジプレートとの間で相対移動が発生したときに、相対滑りの距離を調整できる。
また、前記特定フランジプレートに設けられる前記特定大径貫通孔の内壁の表面の硬度が前記特定フランジプレートの母材の硬度より高い様にしたので、前記柱状部材と前記特定フランジプレートとの間に相対移動が発生したときに、前記柱状部材と前記特定大径貫通孔との当たり面のかじりを抑制できる。
また、前記柱状部材に設けられる前記特定貫通孔の少なくとも内壁の表面の硬度が前記特定ボルトの外周の表面の硬度より高い様にしたので、前記特定ボルトと前記柱状部材との間に相対移動が発生したときに、前記特定ボルトと前記特定貫通孔との当たり面のかじりを抑制できる。
また、前記柱状部材の少なくとも外周の表面の硬度が前記特定フランジプレートの母材の硬度より高い様にしたので、前記柱状部材と前記特定フランジプレートとの間に相対移動が発生したときに、前記柱状部材と前記特定フランジプレートとの当たり面のかじりを抑制できる。
また、前記柱状部材の少なくとも外周の表面の硬度が前記特定ボルトの外周の表面の硬度より高い様にしたので、前記ボルトと前記特定フランジプレートとの間に相対移動が発生したときに、ボルトと柱状部材、前記柱状部材と前記特定フランジプレートとの当たり面のかじりを抑制できる。
また、前記柱状部材が全体に一様な硬度を有し、前記柱状部材の硬度が前記特定ボルトの外周の表面の硬度より高い様にしたので、前記特定ボルトと前記柱状部材との間に相対移動が発生したときに、前記特定ボルトと前記特定貫通孔との当たり面のかじりを抑制できる。
また、前記柱状部材が全体に一様な硬度を有し、前記柱状部材の硬度が前記特定フランジプレートの母材の硬度より高い様にしたので、前記特定ボルトと前記特定フランジとの間に相対移動が発生したときに、前記柱状部材と前記特定大径貫通孔との当たり面のかじりを抑制できる。
また、前記柱状部材が前記特定大径貫通孔にしまり嵌めまたは中間嵌めの状態で挿入される様にしたので、前記ボルトと前記特定フランジプレートとの間で相対滑りが発生したときに、前記特定ボルトと前記特定貫通孔との間で相対滑りが発生する。
前記基礎アンカー面と前記構造物アンカー面との間にボルトで取り付けされる積層ゴム支承の一方の前記フランジプレートにおいて、特定ボルトが前記特定大径貫通孔を貫通し前記取付対象物に固定し、前記特定フランジプレートに設けられる前記特定大径貫通孔の内壁の表面の硬度が前記特定フランジプレートの母材の硬度より高い様にしたので、前記フランジプレートに作用する水平方向の力を前記特定ボルトと前記柱状部材とを介して基礎構造物または構造物が支持し、前記フランジプレートに引き抜き力が作用すると前記特定ボルトと前記フランジプレートとの間で相対移動が発生し、前記引き抜き力が大きくなるのを抑制する際に、前記特定ボルトと前記特定大径貫通孔との当たり面のかじりを抑制できる。
前記基礎アンカー面と前記構造物アンカー面との間にボルトで取り付けされる積層ゴム支承の一方の前記フランジプレートにおいて、特定ボルトが前記特定大径貫通孔を貫通し前記取付対象物に固定し、前記特定フランジプレートに設けられる前記特定大径貫通孔の内壁の表面の硬度が前記特定ボルトの外周の表面の硬度より高い様にしたので、前記フランジプレートに作用する水平方向の力を前記特定ボルトと前記柱状部材とを介して基礎構造物または構造物が支持し、前記フランジプレートに引き抜き力が作用すると前記特定ボルトと前記フランジプレートとの間で相対移動が発生し、前記引き抜き力が大きくなるのを抑制する際に、前記特定ボルトと前記特定大径貫通孔との当たり面のかじりを抑制できる。
その結果、簡易な構造で所望の機能を発揮する構造物支持構造を提供できる。
【図面の簡単な説明】
【００２５】
【図１】本発明の実施形態に係る構造物支持構造をもつ建物の概念図である。
【図２】本発明の実施形態に係る構造物支持構造の概念図である。
【図３】本発明の第一の実施形態に係る構造物支持構造の部分拡大図である。
【図４】本発明の第二の実施形態に係る構造物支持構造の部分拡大図である。
【図５】本発明の第三の実施形態に係る構造物支持構造の部分拡大図である。
【図６】本発明の第四の実施形態に係る構造物支持構造の部分拡大図である。
【図７】本発明の第五の実施形態に係る構造物支持構造の部分拡大図である。
【図８】本発明の第一の実施形態に係る構造物支持構造の作用図である。
【発明を実施するための形態】
【００２６】
以下、本発明を実施するための最良の形態を、図面を参照して説明する。
【００２７】
最初に、本発明の実施形態に係る構造物支持構造を、図を基に、説明する。
図１は、本発明の実施形態に係る構造物支持構造をもつ建物の概念図である。  図２は  本発明の実施形態に係る構造物支持構造の概念図である。
図２は、後述する本発明の第一の実施形態に係る構造物支持構造を採用した場合を示している。
【００２８】
構造物支持構造は、基礎として用いる構造物である基礎構造物に据え付けられ構造物を支持する構造である。
例えば、構造物支持構造は、建物の基礎構造である。
例えば、複数の構造物支持構造が、建物の底部と基礎との間に設けられる。
例えば、構造物支持構造は、建物の下部構造と上部構造との間に設けられる基礎構造である。
図１の上図は、複数の構造物支持構造が構造物の底部と基礎との間に設けられる様子を示す。この例において、基礎は基礎構造物部に相当する。
図１の下図は、複数の構造物支持構造が建物の上部構造と下部構造との間に設けられる様子を示す。この例において、建物の下部構造は基礎構造物に相当する。
構造物支持構造は、基礎アンカー面Ｓｂと構造物アンカー面Ｓａと積層ゴム支承２００と複数のボルト３００とで構成される。
構造物支持構造は、基礎アンカー面Ｓｂと構造物アンカー面Ｓａと積層ゴム支承２００と複数のボルト３００と柱状部材４１０とで構成されてもよい。
構造物支持構造は、基礎アンカー面Ｓｂと構造物アンカー面Ｓａと積層ゴム支承２００と複数のボルト３００と柱状部材４１０と板状部材４２０とで構成されてもよい。
構造物支持構造は、基礎アンカープレート１００ｂと積層ゴム支承２００と複数のボルト３００とで構成されてもよい。
構造物支持構造は、基礎アンカー面Ｓｂと構造物アンカー面Ｓａと積層ゴム支承２００と複数のボルト３００と柱状部材４１０と板状部材４２０とフィラープレート６００とで構成されてもよい。
【００２９】
構造物アンカー面Ｓａは、構造物の下面に設けられるアンカー面である。
基礎アンカー面Ｓｂは、基礎構造物の上面に設けられるアンカー面である。
例えば、構造物アンカープレート１００ａは、構造物５０ａの下面に置かれるアンカープレートであり、構造物アンカー面Ｓａを形成する。
例えば、基礎アンカープレート１００ｂは、基礎構造物５０ｂの上面に置かれるアンカープレートであり、基礎アンカー面Ｓｂを形成する。
積層ゴム支承２００は、上下一対のフランジプレート２１０と積層ゴム体２２０とで構成され、構造物アンカー面Ｓａと基礎アンカー面Ｓｂとの間に据え付けられる。
上下一対のフランジプレート２１０は、ボルト３００が貫通できる貫通孔を設けられ、上部プランジプレート２１０ａと下部フランジプレート２１０ｂとで構成される。
積層ゴム体２２０は、上部プランジプレート２１０ａと下部フランジプレート２１０ｂとに挟まれる。
ボルト３００は、積層ゴム支承２００を基礎構造物５０ｂ及び構造物５０ａに各々に固定する機械要素である。
例えば、ボルト３００は、六角ボルトである。
例えば、ボルト３００は、六角穴付きボルトである。
例えば、ボルト３００は、雄ねじの形成された棒状部材と雄ねじにねじ込まれるナットである。
本発明の実施形態において、柱状部材４１０と板状部材４２０とは、各々にある場合とない場合がある。
従って、柱状部材４１０と板状部材４２０については、後述の各々の実施形態の説明において、詳述する。
ボルト３００は、フランジプレートに設けられる貫通孔を貫通し、構造物５０ａ、または基礎構造物５０ｂに固定される。
例えば、ボルト３００は、後述する板状部材に設けられる貫通孔と柱状部材４１０に設けられる特定貫通孔を貫通して結果としてフランジプレートに設けられる特定大径貫通孔を貫通し、構造物５０ａ、または基礎構造物５０ｂに固定される。
埋込部材５００は、基礎構造物５０ｂまたは構造物５０ａに埋め込まれる部材である。
例えば、埋込部材５００は、スタッドジベルである。
例えば、埋込部材５００は、雌ねじを設けられた部材である。
埋込部材５００は、アンカープレート１００に連結されてもよい。
フィラープレート８００は、基礎構造物５０ｂの上面と構造物５０ａの下面との距離を調整するためのプレートである。
【００３０】
特定フランジプレートに設けられる特定大径貫通孔２１１の内壁の表面の硬度が特定フランジプレートの母材の硬度より高くてもよい。
【００３１】
柱状部材４１０に設けられる特定貫通孔４１１の少なくとも内壁の表面の硬度が特定ボルトの外周の表面の硬度より高くてもよい。
【００３２】
柱状部材４１０の少なくとも外周の表面の硬度がフランジプレートの母材の硬度より高くてもよい。
【００３３】
柱状部材４１０の少なくとも外周の表面の硬度が特定ボルトの外周の表面の硬度より高くてもよい。
【００３４】
柱状部材４１０が全体に一様な硬度を有し、柱状部材の硬度が前記特定ボルトの外周の表面の硬度より高くてもよい。
例えば、柱状部材が全体として一定の硬化処理を受ける。
【００３５】
柱状部材４１０が全体に一様な硬度を有し、柱状部材４１０の硬度が前記特定フランジプレートの母材の硬度より高くてもよい。
例えば、柱状部材が全体として一定の硬化処理を受ける。
【００３６】
以下に、本発明の複数の実施形態にかかる構造物支持構造を、各々に詳述する。
以下で説明する実施形態では上述の技術的特徴を任意に採用することができる。
【００３７】
最初に、本発明の第一の実施形態にかかる構造物支持構造を、図を基に、説明する。
図３は、本発明の第一の実施形態に係る構造物支持構造の部分拡大図である。
【００３８】
第一の実施形態にかかる構造物支持構造は、構造物アンカー面Ｓａと基礎アンカー面Ｓｂと積層ゴム支承２００と複数のボルト３００と柱状部材４１０と板状部材４２０とで構成される。
第一の実施形態にかかる構造物支持構造は、構造物アンカー面Ｓａと基礎アンカー面Ｓｂと積層ゴム支承２００と複数のボルト３００と柱状部材４１０と板状部材４２０と埋込部材５００とで構成されてもよい。
第一の実施形態にかかる構造物支持構造は、構造物アンカープレート１００ａと基礎アンカープレート１００ｂと積層ゴム支承２００と複数のボルト３００と柱状部材４１０と板状部材４２０と埋込部材５００とで構成されてもよい。
第一の実施形態にかかる構造物支持構造は、構造物アンカープレート１００ａと基礎アンカープレート１００ｂと積層ゴム支承２００と複数のボルト３００と柱状部材４１０と板状部材４２０と埋込部材５００とフィラープレート６００とで構成されてもよい。
以下では、説明の便宜上、基礎アンカープレートが特定アンカープレートであって、下部フランジプレートが特定フランジプレートであって、基礎構造物が取付対象物である場合を例に説明する。
【００３９】
構造物アンカー面Ｓａは、構造物の下面に設けられるアンカー面である。
基礎アンカー面Ｓｂは、基礎構造物の上面に設けられるアンカー面である。
後述する積層ゴム支承２００は、構造物アンカー面Ｓａと基礎アンカー面Ｓｂとの間に据え付けられる。
【００４０】
構造物アンカープレート１００ａは、構造物５０ａの下面に置かれるアンカープレートであり、構造物アンカー面Ｓａを形成する。
構造物アンカープレート１００ａは、上部ボルト３００ａの貫通できる貫通孔が設けられる。
特に言及しないかぎり、貫通孔の直径は上部ボルト３００ａの直径に比べ所定の隙間を保持できるように大きい。
【００４１】
基礎アンカープレート１００ｂは、基礎構造物５０ｂの上面に置かれるアンカープレートであり、基礎アンカー面Ｓｂを形成する。
基礎アンカープレート１００ｂは、下部ボルト３００ｂの貫通できる貫通孔が設けられる。
特に言及しないかぎり、貫通孔の直径は下部ボルト３００ｂの直径に比べ所定の隙間を保持できるように大きい。
【００４２】
積層ゴム支承２００は、上下一対のフランジプレート２１０ａ、２１０ｂと積層ゴム体２２０とで構成される。
上下一対のフランジプレート２１０ａ、２１０ｂには、上下方向に貫通する複数の貫通孔が設けられる。
上下一対のフランジプレート２１０ａ、２１０ｂは、上部フランジプレート２１０ａと下部フランジプレート２１０ｂとで構成される。
上下一対のフランジプレート２１０ａ、２１０ｂは、上下方向に貫通する複数の貫通孔を各々に設けられる。
積層ゴム体２２０は、上下一対のフランジプレート２１０に挟まれる。
積層ゴム体２２０は、垂直方向に積層した複数のゴム体で構成される。
上下一対のフランジプレート２１０のうちの一方のフランジプレート２１０が特定フランジプレートに相当する。
ここでは、下部プランジプレート２１０ｂが、特定フランジプレート２１０ｂに相当する。
【００４３】
特定フランジプレートに設けられる複数の貫通孔のうち少なくとも１つの貫通孔は、特定大径貫通孔２１１である。
特定大径貫通孔２１１は、後述する柱状部材４１０が上下方向に貫通できる貫通孔である。
特定フランジプレートに設けられる全ての貫通孔が、特定大径貫通孔２１１であってもよい。
【００４４】
複数のボルト３００は、複数の貫通孔を各々に貫通できるボルトである。
複数のボルト３００は、フランジプレート２１０に設けられる複数の貫通孔を各々に貫通できるボルトである。
複数のボルト３００は、複数の上部ボルト３００ａと複数の下部ボルト３００ｂとで構成される。
【００４５】
上部ボルト３００ａは、積層ゴム支承２００を構造物５０ａに固定する機械要素である。
上部ボルト３００ａは、上部フランジプレート２１０ａに設けられる貫通孔を貫通し、構造物５０ａに固定される。
上部ボルト３００ａは、上部フランジプレート２１０ａに設けられる貫通孔を貫通し、構造物５０ａに埋め込まれる埋込部材５００にねじ固定される。
【００４６】
下部ボルト３００ｂは、積層ゴム支承２００を基礎構造物５０ｂに固定する機械要素である。
下部ボルト３００ｂは、下部フランジプレート２１０ｂに設けられる貫通孔を貫通し、基礎構造物５０ｂに固定される。
下部ボルト３００ｂは、下部フランジプレート２１０ｂに設けられる貫通孔を貫通し、基礎構造物５０ｂに埋め込まれる埋込部材５００にねじ固定される。
【００４７】
複数のボルト３００のうち少なくとも１つのボルトが、特定ボルトに相当する。
複数のボルト３００のうち特定大径貫通孔２１１を貫通するボルトが、特定ボルトに相当する。
ここでは、複数の下部ボルト３００ｂのうちの少なくとも１つの下部ボルト３００ｂが、特定ボルトに相当する。
複数の下部ボルト３００ｂのすべてが、特定ボルトに相当してもよい。
図３は、特定ボルトに相当する下部ボルト３００ｂが示される。
【００４８】
柱状部材４１０は、特定ボルトが上下方向に貫通できる貫通孔である特定貫通孔４１１を設けられ、特定貫通孔４１１の中心軸に平行な軸心をもち特定貫通孔４１１の外周より大きな外形と該軸心に直交し互いに平行な一対の面である上面と下面とで形成される部材である。
例えば、柱状部材４１０は、特定ボルトが上下方向に貫通できる貫通孔である特定貫通孔４１１を設けられ、特定貫通孔４１１の中心軸に平行な軸心をもち特定貫通孔４１１の外周より大きな外径と該軸心に直交し互いに平行な一対の面である上面と下面とで形成される部材である。
例えば、柱状部材４１０は、特定ボルトが上下方向に貫通できる貫通孔である特定貫通孔４１１を設けられ、特定貫通孔４１１の中心軸に一致する軸心をもち特定貫通孔４１１の外周より大きな外径と該軸心に直交し互いに平行な一対の面である上面と下面とで形成される部材である。
【００４９】
柱状部材４１０の外形と特定大径貫通孔２１１と間には所定の隙間がある。
例えば、柱状部材４１０の外径と特定大径貫通孔２１１の内壁の直径と間には所定の隙間がある。
例えば、特定大径貫通孔２１１の内壁の直径は柱状部材４１０の外径に比べて所定の差だけ大きい。
【００５０】
柱状部材４１０の高さ寸法が、特定フランジプレートの厚み寸法より大きい。
例えば、柱状部材４１０の高さ寸法が、特定フランジプレートの厚み寸法より所定の寸法だけ大きい。
従って、柱状部材４１０を特定大径貫通孔２１１に挿入すると、地震等がない状態で柱状部材４１０は所定の寸法だけ特定フランジプレートの上面から飛び出た形状となる。
【００５１】
板状部材４２０は、特定ボルトが貫通できる貫通孔４２１を設けられ、特定大径貫通孔２１１の外周形状より大きな輪郭をもつ板状の部材である。
例えば、板状部材は、特定ボルトが貫通できる貫通孔４２１を設けられ、特定大径貫通孔２１１の外周形状より大きな円形の輪郭をもつ座金状の部材である。
【００５２】
埋込部材５００が、取付対象物に埋め込まれる。
埋込部材５００が、基礎構造物５０ｂに埋め込まれる。
埋込部材５００は、取付対象物に置かれるアンカープレート１００である特定アンカープレート１００ｂに連結しなくてもよい。
埋込部材５００は、取付対象物に置かれるアンカープレート１００である特定アンカープレート１００ｂに連結してもよい。
埋込部材５００は、端部を取付対象物に置かれるアンカープレート１００である特定アンカープレート１００ｂに設けられる穴に嵌めてもよい。
例えば、埋込部材５００は、円管５１０と六角ボルト５２０とで構成される。
円管５１０が、内壁に雌ねじを設けられた円管状部材である。
六角ボルト５２０は、雄ねじを円管５１０の雌ねじにねじ固定される。
【００５３】
下部フランジプレート２１０ｂが、基礎アンカー面Ｓｂに対面する様に基礎構造物に取り付けられる。
上部フランジプレート２１０ａが、構造物アンカー面Ｓａに対面する様に構造物に取り付けられる。
【００５４】
柱状部材４１０が特定大径貫通孔２１１に挿入される。
板状部材４２０が、柱状部材４１０の特定大径貫通孔２１１から飛び出る部分の端面に置かれる。
特定ボルトである下部ボルト３００ｂが、板状部材４２０に設けられる貫通孔４２１を貫通し、特定大径貫通孔２１１に挿入される柱状部材４１０に設けられる特定貫通孔４１１を貫通し、特定フランジプレートを取り付ける基礎構造物または構造物のうちの一方である取付対象物に固定される。
特定ボルトは、取付対象物にねじ固定されてもよい。
特定ボルトである下部ボルト３００ｂは、取付対象物である基礎構造物５０ｂにねじ固定されてもよい。
例えば特定ボルトである下部ボルト３００ｂが、取付対象物である基礎構造物５０ｂに埋込まれた埋込部材５００にねじ固定される。
【００５５】
特定ボルトを除くボルト３００が、特定大径貫通孔２１１を除く貫通孔を貫通し、基礎構造物又は構造物に固定される。
特定ボルトである下部ボルト３００ｂを除くボルト３００が、特定大径貫通孔２１１を除く貫通孔を貫通し、基礎構造物又は構造物に固定される。
特定ボルト３００ｂを除くボルト３００が、特定大径貫通孔２１１を除く貫通孔を貫通し、基礎構造物または構造物にねじ固定されてもよい。
【００５６】
特定フランジプレートである下部フランジプレート２１０ｂに設けられる特定大径貫通孔２１１の内壁の表面の硬度が、特定フランジプレートである下部フランジプレート２１０ｂの母材の硬度より高くてもよい。
【００５７】
フィラープレート６００は、フランジプレートとアンカー面との間に挟まれる板状部材である。
例えば、フィラープレート６００は、フランジプレートとアンカープレートとの間に挟まれる板状部材である。
フィラープレート６００は、特定フランジプレートと異なるフランジプレートと特定アンカープレートでないアンカープレートとの間に挟まれる板状部材であってもよい。
フィラープレート６００は、上部フランジプレート２１０ａと構造物アンカープレート１００ａとの間に挟まれる板状部材であってもよい。
【００５８】
以下に、本発明の第一の実施形態に係る構造物支持構造の作用を、説明する。
図８は、本発明の第一の実施形態に係る構造物支持構造の作用図である。
地震がないとき、下部フランジプレート２１０ｂが基礎アンカー面Ｓｂに接している。
例えば、地震がないとき、下部フランジプレート２１０ｂが基礎アンカープレート１００ｂに接している。
地震が発生し、構造物支持構造に引き抜き力が作用すると、下部フランジプレート２１０ｂが基礎アンカー面Ｓｂから離れる。
例えば、地震が発生し、構造物支持構造に引き抜き力が作用すると、下部フランジプレート２１０ｂが基礎アンカープレート１００ｂから離れる。
図８は、地震が発生し、構造物支持構造に引き抜き力が作用し、下部フランジプレート２１０ｂが基礎アンカープレート１００ｂから離れる様子を示す。
柱状部材４１０と下部フランジプレート２１０ｂとの間に相対移動が発生し、柱状部材４１０の外壁と下部フランジプレート２１０ｂの内壁との間に相対滑りが生ずる。
下部ボルト３００ｂで固定された柱状部材４１０が、下部フランジプレート２１０ｂの水平移動を所定の範囲内に収まる様に拘束する。
下部ボルト３００ｂで固定された板状部材４２０が、下部フランジプレート２１０ｂの上下移動を所定の範囲内に収まる様に拘束する。
【００５９】
次に、本発明の第二の実施形態にかかる構造物支持構造を、図を基に、説明する。
図４は、本発明の第二の実施形態に係る構造物支持構造の部分拡大図である。
【００６０】
第二の実施形態にかかる構造物支持構造は、構造物アンカー面Ｓａと基礎アンカー面Ｓｂと積層ゴム支承２００と複数のボルト３００と柱状部材４１０とで構成される。
第二の実施形態にかかる構造物支持構造は、構造物アンカー面Ｓａと基礎アンカー面Ｓｂと積層ゴム支承２００と複数のボルト３００と柱状部材４１０と埋込部材５００とで構成されてもよい。
第二の実施形態にかかる構造物支持構造は、構造物アンカープレート１００ａと基礎アンカープレート１００ｂと積層ゴム支承２００と複数のボルト３００と柱状部材４１０と埋込部材５００とで構成されてもよい。
第二の実施形態にかかる構造物支持構造は、構造物アンカープレート１００ａと基礎アンカープレート１００ｂと積層ゴム支承２００と複数のボルト３００と柱状部材４１０と埋込部材５００とフィラープレート６００とで構成されてもよい。
以下では、説明の便宜上、基礎アンカープレート１００ｂが特定アンカープレートであって、下部フランジプレート２１０ｂが特定フランジプレートであって、基礎構造物５０ｂが取付対象物である場合を例に説明する。
【００６１】
構造物アンカー面Ｓａと基礎アンカー面Ｓｂと積層ゴム支承２００の構造は、第一の実施形態にかかる構造物支持構造と同じなので、説明を省略する。
また、構造物アンカープレート１００ａと基礎アンカープレート１００ｂと積層ゴム支承２００と埋込部材５００とフィラープレート６００の構造は、第一の実施形態にかかる構造物支持構造と同じなので、説明を省略する。
【００６２】
複数のボルト３００は、複数の貫通孔を各々に貫通できるボルトである。
複数のボルト３００は、フランジプレート２１０に設けられる複数の貫通孔を各々に貫通できるボルトである。
複数のボルト３００は、複数の上部ボルト３００ａと複数の下部ボルト３００ｂとで構成される。
【００６３】
上部ボルト３００ａは、積層ゴム支承２００を構造物５０ａに固定する機械要素である。
上部ボルト３００ａは、上部フランジプレート２１０ａに設けられる貫通孔を貫通し、構造物５０ａに固定される。
上部ボルト３００ａは、上部フランジプレート２１０ａに設けられる貫通孔を貫通し、構造物５０ａに埋め込まれる埋込部材５００にねじ固定される。
【００６４】
下部ボルト３００ｂは、積層ゴム支承２００を基礎構造物５０ｂに固定する機械要素である。
下部ボルト３００ｂは、下部フランジプレート２１０ｂに設けられる貫通孔を貫通し、基礎構造物５０ｂに固定される。
下部ボルト３００ｂは、下部フランジプレート２１０ｂに設けられる貫通孔を貫通し、基礎構造物５０ｂに埋め込まれる埋込部材５００にねじ固定される。
【００６５】
複数のボルト３００のうち少なくとも１つのボルトが、特定ボルトに相当する。
ここでは、複数の下部ボルト３００ｂのうちの少なくとも１つのボルト３００ｂが、特定ボルトに相当する。
複数の下部ボルト３００ｂのすべてが、特定ボルトに相当してもよい。
図４は、特定ボルトに相当する下部ボルト３００ｂが示される。
【００６６】
柱状部材４１０は、特定ボルトが上下方向に貫通できる貫通孔である特定貫通孔４１１を設けられ、特定貫通孔４１１の中心軸に平行な軸心をもち特定貫通孔４１１の外周より大きな外形と該軸心に直交し互いに平行な一対の面である上面と下面とで形成される部材である。
例えば、柱状部材４１０は、特定ボルトが上下方向に貫通できる貫通孔である特定貫通孔４１１を設けられ、特定貫通孔４１１の中心軸に平行な軸心をもち特定貫通孔４１１の外周より大きな外径と該軸心に直交し互いに平行な一対の面である上面と下面とで形成される部材である。
例えば、柱状部材４１０は、特定ボルトが上下方向に貫通できる貫通孔である特定貫通孔４１１を設けられ、特定貫通孔４１１の中心軸に一致する軸心をもち特定貫通孔４１１の外周より大きな外径と該軸心に直交し互いに平行な一対の面である上面と下面とで形成される部材である。
【００６７】
柱状部材４１０の外形と特定大径貫通孔２１１と間には所定の隙間がある。
例えば、特定大径貫通孔２１１の内壁の直径は、柱状部材４１０の外径より所定の寸法だけ大きい。
【００６８】
柱状部材４１０の高さ寸法が、特定フランジプレートの厚み寸法に概略一致する。
柱状部材４１０の高さ寸法が、特定フランジプレートの厚み寸法より僅かに小さくても良い。
柱状部材４１０の高さ寸法が、特定フランジプレートの厚み寸法より僅かに大きくても良い。
【００６９】
柱状部材４１０が特定大径貫通孔２１１に挿入される。
特定ボルトが、特定大径貫通孔２１１に挿入される柱状部材４１０に設けられる特定貫通孔４１１を貫通し、特定フランジプレートを取り付ける基礎構造物または構造物のうちの一方である取付対象物に固定される。
特定ボルトである下部ボルト３００ｂが、特定大径貫通孔２１１に挿入される柱状部材４１０に設けられる特定貫通孔４１１を貫通し、特定フランジプレートを取り付ける基礎構造物または構造物のうちの一方である取付対象物に固定される。
特定ボルトである下部ボルト３００ｂが取付対象物にねじ固定されてもよい。
例えば、特定ボルトである下部ボルト３００ｂが取付対象物に埋込まれる埋込部材５００にねじ固定される。
特定ボルトである下部ボルト３００ｂのボルト頭の下面と柱状部材４２０の上面とのあいだに所定の隙間が設けられる。
【００７０】
特定ボルトを除くボルト３００が、特定大径貫通孔２１１を除く貫通孔を貫通し、基礎構造物又は構造物に固定される。
特定ボルトを除くボルト３００が、特定大径貫通孔２１１を除く貫通孔を貫通し、基礎構造物または構造物にねじ固定されてもよい。
【００７１】
特定フランジプレートに設けられる特定大径貫通孔２１１の内壁の表面の硬度が特定フランジプレートの母材の硬度より高くてもよい。
本実施例においては、特定フランジプレートである下部フランジプレート２１０ｂに設けられる特定大径貫通孔２１１の内壁の表面の硬度が特定フランジプレートである下部フランジプレート２１０ｂの母材の硬度より高くてもよい。
例えば、特定フランジプレートである下部フランジプレート２１０ｂに設けられる特定大径貫通孔２１１の内壁の表面が硬化処理されてもよい。
例えば、特定フランジプレートである下部フランジプレート２１０ｂに設けられる特定大径貫通孔２１１の内壁の表面が焼き入れ処理されてもよい。
例えば、特定フランジプレートである下部フランジプレート２１０ｂに設けられる特定大径貫通孔２１１の内壁の表面が高周波焼き入れ処理されてもよい。
例えば、特定フランジプレートである下部フランジプレート２１０ｂに設けられる特定大径貫通孔２１１の内壁の表面がショットブラストにより硬化処理されてもよい。
【００７２】
以下に、本発明の第二の実施形態に係る構造物支持構造の作用を、説明する。
地震がないとき、下部フランジプレート２１０ｂが基礎アンカー面Ｓｂに接している。
例えば、地震がないとき、下部フランジプレート２１０ｂが基礎アンカープレート１００ｂに接している。
地震が発生し、構造物支持構造に引き抜き力が作用すると、下部フランジプレート２１０ｂが基礎アンカー面Ｓｂから離れる。
例えば、地震が発生し、構造物支持構造に引き抜き力が作用すると、下部フランジプレート２１０ｂが基礎アンカープレート１００ｂから離れる。
柱状部材４１０と下部フランジプレート２１０ｂとの間に相対移動が発生し、柱状部材４１０の外壁と下部フランジプレート２１０ｂの内壁に相対滑りが生ずる。
柱状部材４１０が、下部フランジプレート２１０ｂの水平移動を拘束する。
【００７３】
次に、本発明の第三の実施形態にかかる構造物支持構造を、図を基に、説明する。
図５は、本発明の第三の実施形態に係る構造物支持構造の部分拡大図である。
【００７４】
第三の実施形態にかかる構造物支持構造は、構造物アンカー面Ｓａと基礎アンカー面Ｓｂと積層ゴム支承２００と複数のボルト３００とで構成される。
第三の実施形態にかかる構造物支持構造は、構造物アンカー面Ｓａと基礎アンカー面Ｓｂと積層ゴム支承２００と複数のボルト３００と柱状部材４２０と埋込部材５００とで構成されてもよい。
第三の実施形態にかかる構造物支持構造は、構造物アンカープレート１００ａと基礎アンカープレート１００ｂと積層ゴム支承２００と複数のボルト３００と埋込部材５００とで構成されてもよい。
第三の実施形態にかかる構造物支持構造は、構造物アンカープレート１００ａと基礎アンカープレート１００ｂと積層ゴム支承２００と複数のボルト３００と埋込部材５００とフィラープレート６００とで構成されてもよい。
以下では、説明の便宜上、基礎アンカープレートが特定アンカープレートであって、下部フランジプレートが特定フランジプレートであって、基礎構造物が取付対象物である場合を例に説明する。
【００７５】
構造物アンカー面Ｓａと基礎アンカー面Ｓｂと積層ゴム支承２００の構造は、第一の実施形態にかかる構造物支持構造と同じなので、説明を省略する。
また、構造物アンカープレート１００ａと基礎アンカープレート１００ｂと積層ゴム支承２００と埋込部材５００とフィラープレート６００の構造は、第一の実施形態にかかる構造物支持構造と同じなので、説明を省略する。
【００７６】
複数のボルト３００は、複数の貫通孔を各々に貫通できるボルトである。
複数のボルト３００は、フランジプレート２１０に設けられる複数の貫通孔を各々に貫通できるボルトである。
複数のボルト３００は、複数の上部ボルト３００ａと複数の下部ボルト３００ｂとで構成される。
【００７７】
上部ボルト３００ａは、積層ゴム支承２００を構造物５０ａに固定する機械要素である。
上部ボルト３００ａは、上部フランジプレート２１０ａに設けられる貫通孔を貫通し、構造物５０ａに固定される。
上部ボルト３００ａは、上部フランジプレート２１０ａに設けられる貫通孔を貫通し、構造物５０ａに埋め込まれる埋込部材５００にねじ固定される。
【００７８】
下部ボルト３００ｂは、積層ゴム支承２００を基礎構造物５０ｂに固定する機械要素である。
下部ボルト３００ｂは、下部フランジプレート２１０ｂに設けられる貫通孔を貫通し、基礎構造物５０ｂに固定される。
下部ボルト３００ｂは、下部フランジプレート２１０ｂに設けられる貫通孔を貫通し、基礎構造物５０ｂに埋め込まれる埋込部材５００にねじ固定される。
【００７９】
複数のボルト３００のうち少なくとも１つのボルトが、特定ボルトに相当する。
ここでは、複数の下部ボルト３００ｂのうちの少なくとも１つのボルト３００ｂが、特定ボルトに相当する。
複数の下部ボルト３００ｂのすべてが、特定ボルトに相当してもよい。
図５は、特定ボルトに相当する下部ボルト３００ｂが示される。
【００８０】
柱状部材４１０は、特定ボルトが上下方向に貫通できる貫通孔である特定貫通孔４１１を設けられ、特定貫通孔４１１の中心軸に平行な軸心をもち特定貫通孔４１１の外周より大きな外形と該軸心に直交し互いに平行な一対の面である上面と下面とで形成される部材である。
例えば、柱状部材４１０は、特定ボルトが上下方向に貫通できる貫通孔である特定貫通孔４１１を設けられ、特定貫通孔４１１の中心軸に平行な軸心をもち特定貫通孔４１１の外周より大きな外径と該軸心に直交し互いに平行な一対の面である上面と下面とで形成される部材である。
例えば、柱状部材４１０は、特定ボルトが上下方向に貫通できる貫通孔である特定貫通孔４１１を設けられ、特定貫通孔４１１の中心軸に一致する軸心をもち特定貫通孔４１１の外周より大きな外径と該軸心に直交し互いに平行な一対の面である上面と下面とで形成される部材である。
【００８１】
特定ボルトの外形と特定貫通孔４１１と間には所定の隙間がある。
本実施では、特定ボルトである下部ボルト３００ｂの外形と特定貫通孔４１１と間には所定の隙間がある。
例えば、特定貫通孔４１１の内壁の直径が、特定ボルトである下部ボルト３００ｂの外径より所定の寸法だけ大きい。
【００８２】
柱状部材４１０の高さ寸法が、特定フランジプレートの厚み寸法に概略一致する。
本実施例では、柱状部材４１０の高さ寸法が、特定フランジプレートである下部フランジプレート２１０ｂの厚み寸法に概略一致する。
柱状部材４１０の高さ寸法が、特定フランジプレートである下部フランジプレート２１０ｂの厚み寸法より僅かに小さくてもよい。
柱状部材４１０の高さ寸法が、特定フランジプレートである下部フランジプレート２１０ｂの厚み寸法より僅かに大きくてもよい。
【００８３】
柱状部材４１０が特定大径貫通孔２１１に挿入される。
特定ボルトである下部ボルト３００ｂが、特定大径貫通孔２１１に挿入される柱状部材４１０に設けられる特定貫通孔４１１を貫通し、特定フランジプレートを取り付ける基礎構造物または構造物のうちの一方である取付対象物に固定される。
特定ボルトである下部ボルト３００ｂが取付対象物にねじ固定されてもよい。
【００８４】
特定ボルトを除くボルト３００が、特定大径貫通孔２１１を除く貫通孔を貫通し、基礎構造物又は構造物に固定される、
特定ボルトを除くボルト３００が、特定大径貫通孔２１１を除く貫通孔を貫通し、基礎構造物または構造物にねじ固定されてもよい。
【００８５】
柱状部材４１０に設けられる特定貫通孔４１１の少なくとも内壁の表面の硬度が特定ボルトの外周の表面の硬度より高くてもよい。
本実施例では、柱状部材４１０に設けられる特定貫通孔４１１の少なくとも内壁の表面の硬度が特定ボルトである下部ボルト３００ｂの外周の表面の硬度より高くてもよい。
例えば、柱状部材４１０に設けられる特定貫通孔４１１の少なくとも内壁の表面が硬化処理される。
【００８６】
柱状部材４１０が全体に一様な硬度を有し、柱状部材４１０の硬度が特定ボルトの外周の表面の硬度より高くてもよい。
本実施例では、柱状部材４１０が全体に一様な硬度を有し、柱状部材４１０の硬度が特定ボルトである下部ボルト３００ｂの外周の表面の硬度より高くてもよい。
柱状部材４１０が硬化処理されてもよい。
【００８７】
柱状部材４１０が特定大径貫通孔２１１にしまり嵌めまたは中間嵌めの状態で挿入されてもよい。
例えば、柱状部材４１０の外径と特定大径貫通孔２１１の内径の公差がしまり嵌めまたは中間嵌めになる様に加工され、柱状部材４１０が特定大径貫通孔２１１に挿入される。
例えば、柱状部材４１０が特定大径貫通孔２１１に冷やし嵌めされる。
【００８８】
以下に、本発明の第三の実施形態に係る構造物支持構造の作用を、説明する。
地震がないとき、下部フランジプレート２１０ｂが基礎アンカー面Ｓｂに接している。
例えば、地震がないとき、下部フランジプレート２１０ｂが基礎アンカープレート１００ｂに接している。
地震が発生し、構造物支持構造に引き抜き力が作用すると、下部フランジプレート２１０ｂが基礎アンカー面Ｓｂから離れる。
例えば、地震が発生し、構造物支持構造に引き抜き力が作用すると、下部フランジプレート２１０ｂが基礎アンカープレート１００ｂから離れる。
柱状部材４１０とボルト３００ｂとの間に相対移動が発生し、柱状部材４１０の内壁とボルト３００ｂの外壁に相対滑りが生ずる。
柱状部材４１０が、下部フランジプレート２１０ｂの水平移動を拘束する。
下部ボルト３００ｂが、下部フランジプレート２１０ｂの上下移動を所定の範囲内に収まる様に拘束する。
例えば、  下部ボルト３００ｂのボルト頭が、下部フランジプレート２１０ｂの上下移動を所定の範囲に収まる様に拘束する。
【００８９】
次に、本発明の第四の実施形態にかかる構造物支持構造を、図を基に、説明する。
図６は、本発明の第四の実施形態に係る構造物支持構造の部分拡大図である。
【００９０】
第四の実施形態にかかる構造物支持構造は、構造物アンカー面Ｓａと基礎アンカー面Ｓｂと積層ゴム支承２００と複数のボルト３００とで構成される。
第四の実施形態にかかる構造物支持構造は、構造物アンカー面Ｓａと基礎アンカー面Ｓｂと積層ゴム支承２００と複数のボルト３００と埋込部材５００とで構成されてもよい。
第四の実施形態にかかる構造物支持構造は、構造物アンカープレート１００ａと基礎アンカープレート１００ｂと積層ゴム支承２００と複数のボルト３００と埋込部材５００とで構成されてもよい。
第四の実施形態にかかる構造物支持構造は、構造物アンカープレート１００ａと基礎アンカープレート１００ｂと積層ゴム支承２００と複数のボルト３００と埋込部材５００とフィラープレート６００とで構成されてもよい。
以下では、説明の便宜上、基礎アンカープレートが特定アンカープレートであって、下部フランジプレートが特定フランジプレートであって、基礎構造物が取付対象物である場合を例に説明する。
【００９１】
構造物アンカー面Ｓａと基礎アンカー面Ｓｂと積層ゴム支承２００の構造は、第一の実施形態にかかる構造物支持構造と同じなので、説明を省略する。
また、構造物アンカープレート１００ａと基礎アンカープレート１００ｂと積層ゴム支承２００と埋込部材５００とフィラープレート６００の構造は、第一の実施形態にかかる構造物支持構造と同じなので、説明を省略する。
【００９２】
複数のボルト３００は、複数の貫通孔を各々に貫通できるボルトである。
複数のボルト３００は、複数の上部ボルト３００ａと複数の下部ボルト３００ｂとで構成される。
【００９３】
上部ボルト３００ａは、積層ゴム支承２００を構造物５０ａに固定する機械要素である。
上部ボルト３００ａは、上部フランジプレート２１０ａに設けられる貫通孔を貫通し、構造物５０ａに固定される。
上部ボルト３００ａは、上部フランジプレート２１０ａに設けられる貫通孔を貫通し、構造物５０ａに埋め込まれる埋込部材５００にねじ固定される。
【００９４】
下部ボルト３００ｂは、積層ゴム支承２００を基礎構造物５０ｂに固定する機械要素である。
下部ボルト３００ｂは、下部フランジプレート２１０ｂに設けられる貫通孔を貫通し、基礎構造物５０ｂに固定される。
下部ボルト３００ｂは、下部フランジプレート２１０ｂに設けられる貫通孔を貫通し、基礎構造物５０ｂに埋め込まれる埋込部材５００にねじ固定される。
【００９５】
複数のボルト３００のうち少なくとも１つのボルトが、特定ボルトに相当する。
ここでは、複数の下部ボルト３００ｂのうちの少なくとも１つのボルト３００ｂが、特定ボルトに相当する。
複数の下部ボルト３００ｂのすべてが、特定ボルトに相当してもよい。
図６は、特定ボルトに相当する下部ボルト３００ｂが示される。
【００９６】
特定ボルトの外径と特定大径貫通孔２１１との間には所定の隙間がある。
本実施形態では、特定ボルトである下部ボルト３００ｂの外径と特定大径貫通孔２１１との間には所定の隙間がある。
例えば、特定ボルトである下部ボルト３００ｂの外径と特定大径貫通孔２１１の内壁の直径との間には所定の隙間がある。
【００９７】
特定ボルトが、特定フランジプレート２１０に設けられる特定大径貫通孔２１１を貫通し、特定フランジプレートを取り付ける基礎構造物または構造物のうちの一方である取付対象物に固定される。
特定ボルトである下部ボルト３００ｂが、特定フランジプレート２１０に設けられる特定大径貫通孔２１１を貫通し、特定フランジプレートを取り付ける基礎構造物または構造物のうちの一方である取付対象物に固定される。
特定ボルトである下部ボルト３００ｂが取付対象物にねじ固定されてもよい。
例えば、特定ボルトである下部ボルト３００ｂが取付対象物に埋込まれる埋込部材５００にねじ固定されてもよい。
【００９８】
特定フランジプレートに設けられる特定大径貫通孔２１１の内壁の表面の硬度が特定フランジプレートの母材の硬度より高くてもよい。
本実施形態では、特定フランジプレートである下部フランジプレート２１０ｂに設けられる特定大径貫通孔２１１の内壁の表面の硬度が特定フランジプレートである下部フランジプレート２１０ｂの母材の硬度より高くてもよい。
特定フランジプレートである下部フランジプレート２１０ｂに設けられる特定大径貫通孔２１１の内壁の表面が硬化処理されていてもよい。
特定フランジプレートである下部フランジプレート２１０ｂに設けられる特定大径貫通孔２１１の内壁の表面が焼き入れ硬化処理されていてもよい。
特定フランジプレートである下部フランジプレート２１０ｂに設けられる特定大径貫通孔２１１の内壁の表面が高周波焼き入れ硬化処理されていてもよい。
特定フランジプレートである下部フランジプレート２１０ｂに設けられる特定大径貫通孔２１１の内壁の表面がショットブラストにより硬化処理されていてもよい。
【００９９】
特定フランジプレートに設けられる特定大径貫通孔２１１の内壁の表面の硬度が特定ボルトの硬度より高くてもよい。
本実施形態では、特定フランジプレートである下部フランジプレート２１０ｂに設けられる特定大径貫通孔２１１の内壁の表面の硬度が特定ボルトの硬度より高くてもよい。
特定フランジプレートである下部フランジプレート２１０ｂに設けられる特定大径貫通孔２１１の内壁の表面の硬度が特定ボルトである下部ボルト３００ｂの硬度より高くてもよい。
【０１００】
以下に、本発明の第四の実施形態に係る構造物支持構造の作用を、説明する。
地震がないとき、下部フランジプレート２１０ｂが基礎アンカー面Ｓｂに接している。
例えば、地震がないとき、下部フランジプレート２１０ｂが基礎アンカープレート１００ｂに接している。
地震が発生し、構造物支持構造に引き抜き力が作用すると、下部フランジプレート２１０ｂが基礎アンカー面Ｓｂから離れる。
例えば、地震が発生し、構造物支持構造に引き抜き力が作用すると、下部フランジプレート２１０ｂが基礎アンカープレート１００ｂから離れる。
下部ボルト３００ｂと下部フランジプレート２１０ｂとの間に相対移動が発生し、下部ボルト３００ｂの外壁と特定大径貫通孔２１１の内壁に相対滑りが生ずる。
下部ボルト３００ｂが、下部フランジプレート２１０ｂの水平移動を拘束する。
下部ボルト３００ｂが、下部フランジプレート２１０ｂの上下移動を所定の範囲内に収まる様に拘束する。
例えば、下部ボルト３００ｂのボルト頭が、下部フランジプレート２１０ｂの上下移動を所定の範囲内に収まる様に拘束する。
【０１０１】
次に、本発明の第五の実施形態にかかる構造物支持構造を、図を基に、説明する。
図７は、本発明の第五の実施形態に係る構造物支持構造の部分拡大図である。
【０１０２】
第五の実施形態にかかる構造物支持構造は、構造物アンカー面Ｓａと基礎アンカー面Ｓｂと積層ゴム支承２００と複数のボルト３００と柱状部材４１０と板状部材４２０と弾性部材４５０とで構成される。
第五の実施形態にかかる構造物支持構造は、構造物アンカー面Ｓａと基礎アンカー面Ｓｂと積層ゴム支承２００と複数のボルト３００と柱状部材４１０と板状部材４２０と弾性部材４５０と埋込部材５００とで構成されてもよい。
第五の実施形態にかかる構造物支持構造は、構造物アンカープレート１００ａと基礎アンカープレート１００ｂと積層ゴム支承２００と複数のボルト３００と柱状部材４１０と板状部材４２０と弾性部材４５０と埋込部材５００とで構成されてもよい。
第五の実施形態にかかる構造物支持構造は、構造物アンカープレート１００ａと基礎アンカープレート１００ｂと積層ゴム支承２００と複数のボルト３００と柱状部材４１０と板状部材４２０と弾性部材４５０と埋込部材５００とフィラープレート６００とで構成されてもよい。
以下では、説明の便宜上、基礎アンカープレートが特定アンカープレートであって、下部フランジプレートが特定フランジプレートであって、基礎構造物が取付対象物である場合を例に説明する。
【０１０３】
構造物アンカー面Ｓａと基礎アンカー面Ｓｂと積層ゴム支承２００と複数のボルト３００と柱状部材４１０と板状部材４２０の構造は、第一の実施形態にかかる構造物支持構造と同じなので、説明を省略する。
また、構造物アンカープレート１００ａと基礎アンカープレート１００ｂと積層ゴム支承２００と複数のボルト３００と柱状部材４１０と板状部材４２０と埋込部材５００とフィラープレート６００の構造は、第一の実施形態にかかる構造物支持構造と同じなので、説明を省略する。
【０１０４】
弾性部材４５０は、弾性素材でできた部材である。
例えば、弾性部材４５０は、弾性をもつ金属性の部品である。
例えば、弾性部材４５０は、弾性をもつ樹脂性の部品である。
例えば、弾性部材４５０は、弾性をもつプラスチック性の部品である。
弾性部材４５０は、柱状部材４１０が貫通できる貫通孔４５１を設けられ、特定大径貫通孔２１１の外周形状より大きな輪郭をもつ板状の部材である。
例えば、弾性部材は、柱状部材４１０が貫通できる貫通孔４５１を設けられ、特定大径貫通孔２１１の外周形状より大きな円形の輪郭をもつ座金状の部材である。
【０１０５】
以下に、本発明の第五の実施形態に係る構造物支持構造の作用を、説明する。
地震がないとき、下部フランジプレート２１０ｂが基礎アンカー面Ｓｂに接している。
例えば、地震がないとき、下部フランジプレート２１０ｂが基礎アンカープレート１００ｂに接している。
地震が発生し、構造物支持構造に引き抜き力が作用すると、下部フランジプレート２１０ｂが基礎アンカー面Ｓｂから離れる。
例えば、地震が発生し、構造物支持構造に引き抜き力が作用すると、弾性部材４５０が圧縮され、下部フランジプレート２１０ｂが基礎アンカープレート１００ｂから離れる。
柱状部材４１０と下部フランジプレート２１０ｂとの間に相対移動が発生し、柱状部材４１０の外壁と下部フランジプレート２１０ｂの内壁との間に相対滑りが生ずる。
下部ボルト３００ｂで固定された柱状部材４１０が、下部フランジプレート２１０ｂの水平移動を所定の範囲内に収まる様に拘束する。
下部ボルト３００ｂで固定された板状部材４２０が、下部フランジプレート２１０ｂの上下移動を所定の範囲内に収まる様に拘束する。
【０１０６】
以上説明したように、本発明の実施形態に係る構造物支持構造は、その構成により、以下の効果を有する。
基礎アンカー面Ｓｂと構造物アンカー面Ｓａとの間にボルト３００で取り付けされる積層ゴム体２００の一方のフランジプレート２１０において、複数の貫通孔のうち少なくとも特定大径貫通孔２１１に柱状部材４１０を挿入し、特定ボルトである下部ボルト３００ｂが柱状部材４１０に設けられる特定貫通孔４１１を貫通し取付対象物に固定する様にしたので、フランジプレート２１０に作用する水平方向の力を特定ボルトである下部ボルト３００ｂと柱状部材４１０とを介して基礎構造物５０ｂまたは構造物５０ａが支持し、フランジプレート２１０に引き抜き力が作用すると特定ボルトである下部ボルト３００ｂと柱状部材４１０との間、または柱状部材４１０とフランジプレート２１０との間で相対移動が発生し、積層ゴム支承２００に作用する引き抜き力が大きくなるのを抑制できる。
また、柱状部材４１０の高さ寸法が特定フランジプレートである下部フランジプレート２１０ｂの厚み寸法より大きい様にしたので、柱状部材４１０と特定フランジプレート２１０ｂとの間で相対移動が発生したときに、柱状部材４１０と特定大径貫通孔２１１との当たり面の減少を抑制できる。
また、板状部材４２０を柱状部材４１０に重ね、特定ボルトである下部ボルト３００ｂが板状部材４２０に設けられた貫通孔と柱状部材４１０に設けられた特定貫通孔４１１とを貫通し取付対象物である基礎構造物５０ｂに固定する様にしたので、柱状部材４１０と特定フランジプレート２１０ｂとの間で相対移動が発生したときに、板状部材４２０により相対滑りの距離を制限できる。
また、板状部材４１０とフランジプレート２１０との間に弾性部材４５０が挟まれる様にしたので、ボルト３００とフランジプレート２１０との間で相対移動が発生したときに、相対滑りの距離を調整できる。
また、特定フランジプレート２１０ｂに設けられる特定大径貫通孔２１１の内壁の表面の硬度が特定フランジプレート２１０ｂの母材の硬度より高い様にしたので、柱状部材４１０と特定フランジプレート２１０ｂとの間に相対移動が発生したときに、柱状部材４１０と特定大径貫通孔２１１との当たり面のかじりを抑制できる。
また、柱状部材４１０に設けられる特定貫通孔４１１の少なくとも内壁の表面の硬度が特定ボルトである下部ボルト３００ｂの外周の表面の硬度より高い様にしたので、特定ボルトである下部ボルト３００ｂと柱状部材４１０との間に相対移動が発生したときに、特定ボルトである下部ボルト３００ｂと特定貫通孔４１１との当たり面のかじりを抑制できる。
また、柱状部材４１０の少なくとも外周の表面の硬度が特定フランジプレート２１０ｂの母材の硬度より高い様にしたので、柱状部材４１０と特定フランジプレート２１０ｂとの間に相対移動が発生したときに、柱状部材４１０と特定フランジプレート２１０ｂとのの当たり面のかじりを抑制できる。
また、柱状部材４１０の少なくとも外周の表面の硬度が特定ボルトの外周の表面の硬度より高い様にしたので、特定ボルトである下部ボルト３００ｂと特定フランジプレート２１０ｂとの間に相対移動が発生したときに、特定ボルトである下部ボルト３００ｂと柱状部材４１０、柱状部材４１０と特定フランジプレート２１０ｂとの当たり面のかじりを抑制できる。
また、柱状部材４１０が全体に一様な硬度を有し、柱状部材４１０の硬度が特定ボルトである下部ボルト３００ｂの外周の表面の硬度より高い様にしたので、特定ボルトである下部ボルト３００ｂと柱状部材４１０との間に相対移動が発生したときに、特定ボルトである下部ボルト３００ｂと特定貫通孔４１１との当たり面のかじりを抑制できる。
また、柱状部材４１０が全体に一様な硬度を有し、柱状部材４１０の硬度が前記特定フランジプレート２１０ｂの母材の硬度より高い様にしたので、、特定ボルトである下部ボルト３００ｂと特定フランジ２１０ｂとの間に相対移動が発生したときに、柱状部材４１０と前記特定大径貫通孔２１１との当たり面のかじりを抑制できる。
また、柱状部材４１０が特定大径貫通孔２１１にしまり嵌めまたは中間嵌めの状態で挿入される様にしたので、特定ボルトである下部ボルト３００ｂと特定フランジプレートとの間で相対滑りが発生したときに、特定ボルトである下部ボルト３００ｂと特定貫通孔４１１との間で相対滑りが発生する。
基礎アンカー面Ｓｂと構造物アンカー面Ｓａとの間にボルトで取り付けされる積層ゴム支承２００の一方のフランジプレートにおいて、複数の貫通孔のうち少なくとも１つの特定大径貫通孔２１１に柱状部材４１０を挿入し、特定ボルトである下部ボルト３００ｂが柱状部材４１０に設けられる特定貫通孔４１１を貫通し取付対象物である基礎構造物５０ｂに固定し、柱状部材４１０に設けられる特定貫通孔４１１の少なくとも内壁の表面の硬度が特定ボルトである下部ボルト３００ｂの外周の表面の硬度より高い様にしたので、フランジプレート２１０に作用する水平方向の力を特定ボルトである下部ボルト３００ｂと柱状部材４１０とを介して特定対象物である基礎構造物５０ｂが支持し、フランジプレート２１０に引き抜き力が作用すると特定ボルトである下部ボルト３００ｂと柱状部材４１０との間、または柱状部材４１０と特定フランジプレートである下部フランジプレート２１０ｂとの間で相対移動が発生し、引き抜き力が大きくなるのを抑制する際に、特定ボルトである下部ボルト３００ｂと特定貫通孔４１１との当たり面のかじりを抑制できる。
基礎アンカー面Ｓｂと構造物アンカー面Ｓａとの間にボルトで取り付けされる積層ゴム支承２００の一方のフランジプレート２１０において、複数の貫通孔のうち少なくとも１つの特定大径貫通孔２１１に柱状部材４１０を挿入し、特定ボルトである下部ボルト３００ｂが柱状部材４１０に設けられる特定貫通孔４１１を貫通し取付対象物である基礎構造物５０ｂに固定し、柱状部材４１０の硬度が特定ボルトである下部ボルト３００ｂの外周の表面の硬度より高い様にしたので、フランジプレート２１０に作用する水平方向の力を特定ボルトである下部ボルト３００ｂと柱状部材４１０とを介して取付対象物である基礎構造物５０ｂが支持し、フランジプレート２１０に引き抜き力が作用すると特定ボルトである下部ボルト３００ｂと柱状部材４１０との間、または柱状部材４１０と特定フランジプレートである下部フランジプレート２１０ｂとの間で相対移動が発生し、引き抜き力が大きくなるのを抑制する際に、特定ボルトである下部ボルト３００ｂと特定貫通孔４１１との当たり面のかじりを抑制できる。
基礎アンカー面Ｓｂと構造物アンカー面Ｓａとの間にボルトで取り付けされる積層ゴム支承２００の一方のフランジプレート２１０において、複数の貫通孔のうち少なくとも１つの特定大径貫通孔２１１に柱状部材４１０を挿入し、特定ボルトである下部ボルト３００ｂが柱状部材４１０に設けられる特定貫通孔４１１を貫通し取付対象物である基礎構造物５０ｂに固定し、柱状部材４１０に設けられる特定貫通孔４１１の少なくとも内壁の表面の硬度が特定フランジプレートである下部フランジプレート２１０ｂの母材の硬度より高い様にしたので、フランジプレート２１０に作用する水平方向の力を特定ボルトである下部ボルト３００ｂと柱状部材４１０とを介して基礎構造物５０ｂが支持し、フランジプレート２１０に引き抜き力が作用すると特定ボルトである下部ボルト３００ｂと柱状部材４１０との間、または柱状部材４１０とフランジプレート２１０との間で相対移動が発生し、引き抜き力が大きくなるのを抑制する際に、特定ボルトである下部ボルト３００ｂと特定貫通孔４１１との当たり面のかじりを抑制できる。
基礎アンカー面Ｓｂと構造物アンカー面Ｓａとの間にボルトで取り付けされる積層ゴム支承２００の一方のフランジプレート２１０において、複数の貫通孔のうち少なくとも１つの特定大径貫通孔２１１に柱状部材４１０を挿入し、特定ボルトである下部ボルト３００ｂが柱状部材４１０に設けられる特定貫通孔４１１を貫通し取付対象物に固定し、柱状部材４１０の硬度が特定フランジプレートの母材の硬度より高い様にしたので、フランジプレート２１０に作用する水平方向の力を特定ボルトである下部ボルト３００ｂと柱状部材４１０とを介して基礎構造物または構造物が支持し、フランジプレート２１０に引き抜き力が作用すると特定ボルトである下部ボルト３００ｂと柱状部材４１０との間、または柱状部材４１０とフランジプレート２１０との間で相対移動が発生し、引き抜き力が大きくなるのを抑制する際に、特定ボルトである下部ボルト３００ｂと特定貫通孔４１１との当たり面のかじりを抑制できる。
基礎アンカー面Ｓｂと構造物アンカー面Ｓａとの間にボルトで取り付けされる積層ゴム支承２００の一方のフランジプレート２１０において、複数の貫通孔のうち少なくとも１つの特定大径貫通孔２１１に柱状部材４１０を挿入し、特定ボルトである下部ボルト３００ｂが柱状部材４１０に設けられる特定貫通孔４１１を貫通し取付対象物に固定し、柱状部材４１０が特定大径貫通孔２１１にしまり嵌めまたは中間嵌めに挿入される様にしたので、フランジプレート２１０に作用する水平方向の力を特定ボルトである下部ボルト３００ｂと柱状部材４１０とを介して基礎構造物または構造物が支持し、フランジプレート２１０に引き抜き力が作用すると特定ボルトである下部ボルト３００ｂとフランジプレート２１０との間で相対移動が発生し、引き抜き力が大きくなるのを抑制する際に、特定ボルトである下部ボルト３００ｂと特定貫通孔４１１との間で相対滑りが発生する。
基礎アンカー面Ｓｂと構造物アンカー面Ｓａとの間にボルトで取り付けされる積層ゴム支承２００の一方のフランジプレート２１０において、特定ボルトである下部ボルト３００ｂが特定大径貫通孔２１１を貫通し取付対象物に固定し、特定フランジプレートに設けられる特定大径貫通孔２１１の内壁の表面の硬度が特定フランジプレートの母材の硬度より高い様にしたので、フランジプレートに作用する水平方向の力を特定ボルトである下部ボルト３００ｂとを介して基礎構造物または構造物が支持し、フランジプレート２１０に引き抜き力が作用すると特定ボルトである下部ボルト３００ｂとフランジプレートとの間で相対移動が発生し、引き抜き力が大きくなるのを抑制する際に、特定ボルトである下部ボルト３００ｂと特定大径貫通孔２１１との当たり面のかじりを抑制できる。
基礎アンカー面Ｓｂと構造物アンカー面Ｓａとの間にボルトで取り付けされる積層ゴム支承２００の一方のフランジプレート２１０において、特定ボルトである下部ボルト３００ｂが特定大径貫通孔２１１を貫通し取付対象物に固定し、特定フランジプレートに設けられる特定大径貫通孔２１１の内壁の表面の硬度が特定ボルトである下部ボルト３００ｂの外周の表面の硬度より高い様にしたので、フランジプレートに作用する水平方向の力を特定ボルトである下部ボルト３００ｂを介して基礎構造物または構造物が支持し、フランジプレートに引き抜き力が作用すると特定ボルトである下部ボルト３００ｂとフランジプレートとの間で相対移動が発生し、引き抜き力が大きくなるのを抑制する際に、特定ボルトである下部ボルト３００ｂと特定大径貫通孔２１１との当たり面のかじりを抑制できる。
【０１０７】
本発明は以上に述べた実施形態に限られるものではなく、発明の要旨を逸脱しない範囲で各種の変更が可能である。
ボルトは、六角ボルトであるとして説明したが、これに限定されない。例えば、ボルトが頭のないものであって、ナットがねじ込まれたものでもよい。
柱状部材は一体の部材であるとして説明したが、これに限定されない。例えば、柱状部材は複数の部材が重なったものであってもよい。例えば、柱状部材は複数のサラばね座金が重なったものであってもよい。
硬度は、ブルネル硬さ、ビッカース硬さ、ロックウエル硬さ、ショア硬さ、その他で定義される硬さであれば良い。
【符号の説明】
【０１０８】
Ｓａ    構造物アンカー面
Ｓｂ    基礎アンカー面
５０ａ  構造物
５０ｂ  基礎構造物
１００    アンカープレート
１００ａ  構造物アンカープレート
１００ｂ  基礎アンカープレート
２００    積層ゴム支承
２１０    フランジプレート
２１０ａ  上部フランジプレート
２１０ｂ  下部フランジプレート
２１１    特定大径貫通孔
２２０    積層ゴム体
３００    ボルト
３００ａ  上部ボルト
３００ｂ  下部ボルト
４１０    柱状部材
４１１    特定貫通孔
４２０    板状部材
４２１    貫通孔
４５０    弾性部材
５００    埋込部材
５１０    円管
５２０    六角ボルト
６００    フィラープレート
【図１】
0006605872.tif 000002
【図２】
0006605872.tif 000003
【図３】
0006605872.tif 000004
【図４】
0006605872.tif 000005
【図５】
0006605872.tif 000006
【図６】
0006605872.tif 000007
【図７】
0006605872.tif 000008
【図８】
0006605872.tif 000009